(57)【要約】【課題】表示側筐体の戻し時に任意の箇所で止めることができる携帯電子機器を提供することにある。【解決手段】カム部を備えたカムシャフトと、一端に設けたカム面を備えた対向カムと、擢動カムと、ケースと、ケース内に配され、擢動カムを軸方向に附勢する第一コンプレッションスプリングと、カムシャフトのフランジ部に設けた挿入孔を介し対向カムの内側に設けたカムと係合するカム係止用爪部とを備えた押釦キーと、カムシャフトのフランジ部と押釦キーのフランジ部の間に設けられ、押釦キーを軸方向に附勢する第二コンプレッションスプリングと、ケースの孔から突出するカムシャフトの端部に取り付けられる係止手段とを備えている。【選択図】　　　図１
2004056320.tif 000002
【特許請求の範囲】
【請求項１】
表示側筐体と操作側筐体とをヒンジを介して折り畳み自在に連結して成る携帯電子機器において、
前記ヒンジは、
シャフトと、前記シャフトに設けたカム部と、前記シャフトの他端に設けられるとともに挿入孔を設け、前記操作側筐体に固定されるフランジ部と、前記フランジ部から前記シャフトの他端側に突出する係止部とを備えたカムシャフトと、前記カムシャフトのシャフトに回動可能に取り付けられる孔部と、一端に設けたカム面と、内側に設けた溝部とを備えた対向カムと、
前記カムシャフトのシャフトに回動および摺動自在に取り付けられる軸孔部を設けた底板と、前記底板に取り付けられるカム部と、前記軸孔部と平行に設けた回転規制部とを備えた擢動カムと、
前記カムシャフトのシャフトに回動可能に取り付けられる孔部を設けた底板と、前記擢動カムを収納するとともに前記回転規制部を軸方向に摺動する溝部を設けた壁部とを備えたケースと、
前記ケース内に配され、前記擢動カムを軸方向に附勢する第一コンプレッションスプリングと、
貫通孔を有するフランジ部と、前記フランジ部に設けられ、前記カムシャフトのフランジ部に設けた挿入孔を介し前記対向カムの内側に設けた溝部と係合するカム係止用爪部とを備えた押釦キーと、
前記カムシャフトのフランジ部と前記押釦キーのフランジ部の間に設けられ、前記押釦キーを軸方向に附勢する第二コンプレッションスプリングと、
前記ケースの孔から突出する前記カムシャフトの端部に取り付けられる係止手段と
を備えていることを特徴とする携帯電子機器。
【請求項２】
請求項１記載の携帯電子機器において、
前記カムシャフトは、前記カム部が前記シャフトに一体的に形成されている
ことを特徴とする携帯電子機器。
【請求項３】
請求項１記載の携帯電子機器において、
前記カムシャフトは、前記カム部を一体的に設けた前記フランジ部が、前記シャフトに組み付けられている
ことを特徴とする携帯電子機器。
【発明の詳細な説明】
【０００１】
【発明の属する技術分野】
本発明は、携帯電話機、ＰＤＡ（携帯情報端末）、携帯パソコン、小型モバイルなどの小型電子機器に用い、表示側筐体と操作側筐体とをヒンジを介して折り畳み自在に連結して成る携帯電子機器に関する。
【０００２】
【従来の技術】
従来、この種の携帯電子機器は、ＬＣＤ等の表示側筐体とキーボード等の操作側筐体とをヒンジを介して折り畳み自在に連結している。
そして、これらに用いられるヒンジとしては、例えば、特開２００１−２０７７２１号公報に開示される小型開閉装置等が知られている。
このヒンジでは、ヒンジに設けた押釦を押圧することによって、全閉状態にあった携帯電子機器の表示側筐体を所定の角度まで一気に開くことができる。
【０００３】
【発明が解決しようとする課題】
近似、この種の携帯電子機器では、表示側筐体の戻し時に任意の箇所で止める機能（フリーストップ機能）が要望されている。
しかし、従来のヒンジは、所定の角度に一気に開くことができるが、表示側筐体の戻し時に任意の箇所で止めることができない。
また、従来のヒンジでは、押釦の押圧時の開きトルクが弱く、応答性に難がある。
【０００４】
さらに、従来のヒンジでは、表示側筐体を片手で閉じるのに強い力を必要とし、特に婦女子にとって負担となるという問題があった。
さらにまた、従来のヒンジでは、カム機構の都合から外径が大きくなるという問題があった。
本発明は斯かる従来の問題点を解決するために為されたもので、その目的は、表示側筐体の戻し時に任意の箇所で止めることができる携帯電子機器を提供することにある。
【０００５】
本発明の別の目的は、押釦の押圧時の開きトルクを確実に確保することが可能な携帯電子機器を提供することにある。
本発明の別の目的は、片手で表示側筐体を容易に閉じることが可能な携帯電子機器を提供することにある。
本発明の別の目的は、カム機構の外径を小さくできるが携帯電子機器を提供することにある。
【０００６】
【課題を解決するための手段】
請求項１に係る発明は、表示側筐体と操作側筐体とをヒンジを介して折り畳み自在に連結して成る携帯電子機器において、前記ヒンジは、シャフトと、前記シャフトに設けたカム部と、前記シャフトの他端に設けられるとともに挿入孔を設け、前記操作側筐体に固定されるフランジ部と、前記フランジ部から前記シャフトの他端側に突出する係止部とを備えたカムシャフトと、前記カムシャフトのシャフトに回動可能に取り付けられる孔部と、一端に設けたカム面と、内側に設けた溝部とを備えた対向カムと、前記カムシャフトのシャフトに回動および摺動自在に取り付けられる軸孔部を設けた底板と、前記底板に取り付けられるカム部と、前記軸孔部と平行に設けた回転規制部とを備えた擢動カムと、前記カムシャフトのシャフトに回動可能に取り付けられる孔部を設けた底板と、前記擢動カムを収納するとともに前記回転規制部を軸方向に摺動する溝部を設けた壁部とを備えたケースと、前記ケース内に配され、前記擢動カムを軸方向に附勢する第一コンプレッションスプリングと、貫通孔を有するフランジ部と、前記フランジ部に設けられ、前記カムシャフトのフランジ部に設けた挿入孔を介し前記対向カムの内側に設けた溝部と係合するカム係止用爪部とを備えた押釦キーと、前記カムシャフトのフランジ部と前記押釦キーのフランジ部の間に設けられ、前記押釦キーを軸方向に附勢する第二コンプレッションスプリングと、前記ケースの孔から突出する前記カムシャフトの端部に取り付けられる係止手段とを備えていることを特徴とする。
【０００７】
請求項２に係る発明は、請求項１記載の携帯電子機器において、前記カムシャフトは、前記カム部が前記シャフトに一体的に形成されていることを特徴とする。
請求項３に係る発明は、請求項１記載の携帯電子機器において、前記カムシャフトは、前記カム部を一体的に設けた前記フランジ部が、前記シャフトに組み付けられていることを特徴とする。
【０００８】
【発明の実施の形態】
以下、本発明を図面に示す実施形態に基づいて説明する。
図１および図２は、本実施形態に係る携帯電話機１を示す。
本実施形態に係る携帯電話機１は、表示側筐体３と操作側筐体５とが、それぞれの連結部３ａ，５ａにおいて、Ｅリング７を介してヒンジ１０を配置することによって折り畳み自在に連結されている。
本実施形態に係る携帯電話機１において、表示側筐体３は、０度の全閉状態ＯＨＣから１６０度の全開状態ＯＨＡまで開き、戻り時に１００度〜１３０度のフリーストップＯＨＢで止めされるように構成されている。
【０００９】
図３および図４は、本実施形態に係る携帯電話機１に用いるヒンジ１０の分解図である。
ヒンジ１０は、操作側筐体５に固定されるフランジ部２３を備えたカムシャフト２０のシャフト２１側に、一端にカム面３６を設けるとともに内側に溝部３２を設けた対向カム３０と、対向カム３０のカム３６，３６と噛合するカム部４３，４３を設けた擢動カム４０と、第一コンプレッションスプリング６０と、表示側筐体３に固定されるケース５０とを順に取り付けるとともに、カムシャフト２０のフランジ部２３側に、押釦キー７０と、第二コンプレッションスプリング８０と、ワッシャ９０とを順に取り付け、カムシャフト２０の一側端部にＥリング（係止手段）１００を取り付けて抜け止めすることによって構成されている。
【００１０】
カムシャフト２０は、図３ないし図６に示すように、シャフト２１と、このシャフト２１に設けたカム部２２，２２と、シャフト２１の他端に設けられるとともに一対の挿入孔２４，２４を設け、操作側筐体３に固定されるフランジ部２３と、一対の挿入孔２４，２４と繋がってシャフト２１に形成された押釦キー係止用溝２５，２５と、フランジ部２３からシャフト２１の他端側に先端がテーパになって突出するワッシャ嵌合軸（係止部）２６とを備えている。
【００１１】
シャフト２１の一端には、Ｅリング溝２７，２８が設けられ、先端のＥリング溝２８は表示側筐体３との接合用、カム部側のＥリング溝２７はヒンジ１０の各部品の抜け止め用である。
カム部２２，２２は、対向カム３０に形成したカム４３，４３と係合することによってカム機構を形成する。
【００１２】
カム部２２，２２は、図７に示すように、開きトルクを発生させる下り勾配になった傾斜面２２ａ，２２ａから成るカム面を対向して設けている。
フランジ部２３には、外周部に溝２９，２９が設けられ、操作側筐体３に嵌合し回転が規制されている。
フランジ部２３の壁部に設けた一対の挿入孔２４，２４およびシャフト２１に設けた押釦キー係止用溝２５，２５は、押釦キー７０のカム係止用爪部７３，７３を挿入するために設けられている。そのため、一対の挿入孔２４，２４の形状は、押釦キー７０のカム係止用爪部７３，７３と相似形状を為している。また、押釦キー係止用溝２５，２５もまた、押釦キー７０のカム係止用爪部７３，７３が填り込んで係止できるように、外形形状が相似形状と成っている。従って、カムシャフト２０は、押釦キー７０のカム係止用爪部７３，７３を一対の挿入孔２４，２４に挿通させることによって押釦キー７０の回転方向を規制しつつ、軸方向への移動を可能にしている。
【００１３】
ワッシャ嵌合軸２６は、ワッシャ９０を圧入して押釦キー７０の抜けを防止するために設けてある。
対向カム３０は、図３ないし図５、図８，図９に示すように、底突きの円筒形状を為し、底部３１の中央には、カムシャフト２０のシャフト２１に摺動自在に取り付けられる孔部３２が設けられている。そして、この穴部３２より外径側に開口部３３，３３が形成され、筒部３４の内面に対向して形成した溝部３５と繋がっている。また、筒部３４の開口端側には、一対の凸形状のカム３６，３６が形成されている。
【００１４】
カム３６，３６は、図９に示すように、０度から２０度に向かう登り傾斜面３６ａ，３６ａと、２０度から１００度に向かう下り傾斜面３６ｂ，３６ｂと、１００度から１３５度において平坦な水平面３６ｃ，３６ｃと、１３５度から１６５度に向かう下り傾斜面３６ｄ，３６ｄと、１６５度から１８０度に向かう登り傾斜面３６ｅ，３６ｅとを有する。
【００１５】
擢動カム４０は、図３ないし図５、図１０，図１１に示すように、カムシャフト２０のシャフト２１に摺動自在に取り付けられる軸孔部４２を設けた底板４１と、この底板４１に取り付けられるカム部４３，４３と、軸孔部４２と平行に設けた一対の回転規制部４４，４４とを備えている。
カム部４３，４３は、図１１に示すように、０度が頂点となる凸形状を為す突起４３ａ，４３ａによって形成されている。
【００１６】
ケース５０は、図３ないし図５、図１２に示すように、カムシャフト２０のシャフト２１に摺動自在に取り付けられる孔部５２を設けた底板５１と、擢動カム４０を収納するとともに一対の回転規制部４４，４４を軸方向に摺動する溝部５４，５４を設けた壁部５３とを備えている。壁部５３には、表示側筐体３に固定するための凹溝５５，５５が形成されている。
【００１７】
第一コンプレッションスプリング６０は、図５に示すように、ケース５０内に配され、擢動カム４０を軸方向に附勢し、カム部４３，４３、対向カム３０のカム部３６，３６およびカムシャフト２０のカム部２２，２２とのカム機構に作用力を発生させる。
押釦キー７０は、図３ないし図５、図１３に示すように、中央に貫通孔７２を有するフランジ部７１と、フランジ部７１に設けられ、カムシャフト２０のフランジ部２３に設けた一対の挿入孔２４，２４を介し対向カム３０の内側に設けた溝部３５と係合するカム係止用爪部７３，７３とを備えている。
【００１８】
カム係止用爪部７３，７３は、フランジ部７１から突出する円弧状突片７４，７４の先端部に形成されている。
カム係止用爪部７３，７３の内側には、図５に示すように、段差部７５が形成されており、段差部７５がワッシャー９０と係合してカムシャフト２０からの離脱防止を図っている。
【００１９】
第二コンプレッションスプリング８０は、図５に示すように、カムシャフト２０のフランジ部２３と押釦キー７０のフランジ部７１の間に設けられ、押釦キー７０を軸方向に附勢する。
ワツシヤー９０は、図５に示すように、カムシャフト２０のワッシャ嵌合軸２６に圧入され、押釦キー７０のカムシャフト２０からの離脱防止を図っている。
【００２０】
Ｅリング１００は、図５に示すように、ケース５０の孔部５２から突出するカムシャフト２１の端部に設けたＥリング溝２７に取り付けられる。
次に、斯くして構成された本実施形態に係る携帯電話機１の作用について説明する。
先ず、押釦キー７０を押し込んでいない通常時について説明する。
【００２１】
本実施形態に係る携帯電話機１では、図１に示すように、表示側筐体３が操作側筐体５上に折り畳まれて、全閉状態ＯＨＣを形成している。ここでは、表示側筐体３の開き角度は０度である。
この時、ヒンジ１０は、図５および図１４に示すように、擢動カム４０のカム部４３，４３が第一コンプレッションスプリング６０によって対向カム３０のカム部３６，３６の傾斜面３６ａ，３６ａに当接している。また、押釦キー７０の２つのカム係止用爪部７３，７３がカムシャフト２０の挿入孔２４，２４を介して対向カム３０の開口部３３，３３に挿入して係止している。
【００２２】
次に、押釦キー７０を押し込んだ時の動作について説明する。
第二コンプレッションスプリング８０に逆らって押釦キー７０を押し込むと、図１５ないし図１８に示すように、押釦キー７０の２つのカム係止用爪部７３，７３とカムシャフト２０の押釦キー係止用溝２５，２５を介して対向カム３０のカム３６，３６とカムシャフト２０のカム２２，２２が係止されていた状態から解離され、押釦キー７０および擢動カム４０に対し自由に対向カム３０が回転できるようになる。そのため、全閉状態ＯＨＣでは通常時に閉じトルクが発生していた状態から押釦キー７０を押し込むことにより、対向カム３０の回転が自由になるためトルクの発生が無くなる。そして、擢動カム４０のカム４３，４３は、カムシャフト２０のカム部２２，２２の傾斜面２２ａ，２２ａに沿って移動する。
【００２３】
そして、図１９に示すように、擢動カム４０のカム４３，４３が、開き角度１６０度の位置まで来ると、第二コンプレッションスプリング８０の復元力で押釦キー７０が復帰する。そして、押釦キー７０の２つのカム係止用爪部７３，７３が、再びカムシャフト２０の挿入孔２４，２４を介して対向カム３０の開口部３３，３３に挿入して係止されると同時に、対向カム３０の下り傾斜面３６ｄ，３６ｄと登り傾斜面３６ｅ，３６ｅとの間のロック部３６ｆに擢動カム４０のカム４３，４３が落とし込まれて、図１に示す全開状態ＯＨＡに表示側筐体３を固定することができる。
【００２４】
この状態から、手動で表示側筐体３を全閉状態ＯＨＣ側へ押圧すると、擢動カム４０のカム４３，４３は、対向カム３０のカム部３６，３６の下り傾斜面３６ｄ，３６ｄ、水平面３６ｃ，３６ｃ、下り傾斜面３６ｂ，３６ｂを経て登り傾斜面３６ａ，３６ａに落とし込まれ、全閉状態ＯＨＣに戻される。
この際、水平面３６ｃ，３６ｃにおいて、表示側筐体３の動きを停止すると、表示側筐体３はその位置で保持される。そして、水平面３６ｃ，３６ｃにおいては、傾斜がないため、その間では自由に止めることができるフリーストップを形成することができる。
【００２５】
次に、押釦キー７０を押し込まないで表示側筐体３を開閉する場合の動作について説明する。
押釦キー７０を押し込まない場合には、図１４に示すように、擢動カム４０のカム４３，４３と対向カム３０のカム部３６，３６とは第一コンプレッションスプリング６０により当接し、押釦キー７０の２つのカム係止用爪部７３，７３がカムシャフト２０の挿入孔２４，２４を介して対向カム３０の開口部３３，３３に挿入して係止している。
【００２６】
この状態で、表示側筐体３を手動で開くと、擢動カム４０のカム４３，４３は、対向カム３０のカム部３６，３６の登り傾斜面３６ａ，３６ａ、下り傾斜面３６ｂ，３６ｂ、水平面３６ｃ，３６ｃ、下り傾斜面３６ｄ，３６ｄ、登り傾斜面３６ｅ，３６ｅの順に移動することができる。
勿論、対向カム３０の下り傾斜面３６ｄ，３６ｄと登り傾斜面３６ｅ，３６ｅとの間のロック部３６ｆに、擢動カム４０のカム４３，４３を落とし込んで、図１に示す全開状態ＯＨＡに表示側筐体３を固定することもできる。
【００２７】
さらに、この状態から、手動で表示側筐体３を全閉状態ＯＨＣ側へ押圧すると、擢動カム４０のカム４３，４３は、対向カム３０のカム部３６，３６の下り傾斜面３６ｄ，３６ｄ、水平面３６ｃ，３６ｃ、下り傾斜面３６ｂ，３６ｂを経て登り傾斜面３６ａ，３６ａに落とし込まれ、全閉状態ＯＨＣに戻される。
この際、水平面３６ｃ，３６ｃにおいて、表示側筐体３の動きを停止すると、図２０に示すように、表示側筐体３はその位置で保持される。そして、水平面３６ｃ，３６ｃにおいては、傾斜がないため、その間では自由に止めることができるフリーストップを形成することができる。
【００２８】
以上のように、本実施形態に係る携帯電話機１によれば、不使用時にはヒンジ１０が開きトルクの動きを規制して表示側筐体３が全閉状態ＯＨＣに保持され、ヒンジ１０の押釦キー７０が押されると、表示側筐体３が第一コンプレッションスプリング６０の復元力で全開状態ＯＨＡまで開かれる。
そして、全開状態ＯＨＡから表示側筐体３を全閉状態ＯＨＣ方向へ閉じ始めると、表示側筐体３がフリーストップＯＨＢ（１００度から１３５度）にてフリーストップすることが可能となる。従って、フリーストップＯＨＢ（１００度から１３５度）において、携帯電話機１を例えばノートパソコンと同様にテーブルなどの上に置いて操作することが可能となる。
【００２９】
なお、上記実施形態では、カムシャフト２０にカム部２２，２２を一体的に設けた場合について説明したが、シャフト２１とカム部２２，２２を分離しても良い。
その一実施形態を、図２１および図２２により説明する。
本実施形態では、シャフト２１Ａと、カム部２２とフランジ部２３を一体にした部品２０Ａとを組むことにより、上記実施形態における一体型のカムシャフト２０に相当する部品とすることが可能となる。
【００３０】
その際、シャフト２１Ａには、カム部２２とフランジ部２３を一体にした部品２０Ａが脱落しないように、ストッパ２１ａが設けてある。また、シャフト２１と同様に、Ｅリング溝２７，２８が設けてある。
部品２０Ａは、カムシャフト２０からシャフト２１を取り除いた形状を呈している。従って、中央に貫通孔２０Ａ１が設けてある。
【００３１】
本実施形態では、シャフト２１ＡのＥリング溝２７，２８側から部品２０Ａのフランジ２３側の貫通孔２０Ａ１に差し込むことによって組み立てられる。
その後、上記実施形態と同様にその他の部品を組み付けることによって、ヒンジ１０を得ることができる。
本実施形態では、シャフト２１Ａにストッパ２１ａが設けてあるので、ワッシャ９０を省略することができる。
【００３２】
斯くして組み立てられた本実施形態に係るヒンジの作用効果は、上記実施形態と同様である。
【００３３】
【発明の効果】
本発明によれば、表示側筐体の閉じ時に対向カムのカムを利用するので、作用半径が大きくなり、表示側筐体の閉じ時にフリーストップ機構を設けることが可能となるとともに、フリーストップトルクを確保し易いという利点がある。
また、押釦キー押し込み時の開きトルクは、内側に位置するカムシャフトのカム部が作用するため、カム面の傾斜が大きく設定でき、開きトルクが確保し易いという利点がある。
【００３４】
また、通常の閉じトルクは、外側の対向カムのカムが作用するため、カム面の傾斜が小さく設定できるので、片手で表示側筐体を閉じる際、特に婦女子にとっても、容易に操作することが可能となる。
また、機構上、ヒンジの外径が小さくできるので、市場の要求である小径、短縮に対応できる。
【図面の簡単な説明】
【図１】本実施形態に係る携帯電話機を示す側面図である。
【図２】本実施形態に係る携帯電話機を示す平面図である。
【図３】本実施形態に係る携帯電話機に用いるヒンジの分解斜視図である。
【図４】（イ）本実施形態に係る携帯電話機に用いるヒンジの分解図である。
（ロ）本実施形態に係る携帯電話機に用いるヒンジの一部を切り欠いた組立図である。
【図５】（イ）本実施形態に係る携帯電話機に用いるヒンジの一部を切り欠いた正面図である。
（ロ）本実施形態に係る携帯電話機に用いるヒンジの側面図である。
【図６】（イ）本実施形態に係る携帯電話機に用いるカムシャフトの断面図である。
（ロ）本実施形態に係る携帯電話機に用いるカムシャフトの側面図である。
（ハ）本実施形態に係る携帯電話機に用いるカムシャフトの側面図である。
【図７】図６に示すカムシャフトのカム特性図である。
【図８】（イ）本実施形態に係る携帯電話機に用いる対向カムの断面図である。
（ロ）本実施形態に係る携帯電話機に用いる対向カムの側面図である。
（ハ）本実施形態に係る携帯電話機に用いる対向カムの側面図である。
【図９】図８に示す対向カムのカム特性図である。
【図１０】（イ）本実施形態に係る携帯電話機に用いる擢動カムの断面図である。
（ロ）本実施形態に係る携帯電話機に用いる擢動カムの側面図である。
（ハ）本実施形態に係る携帯電話機に用いる擢動カムの側面図である。
【図１１】図１０に示す擢動カムのカム特性図である。
【図１２】（イ）本実施形態に係る携帯電話機に用いるケースの断面図である。
（ロ）本実施形態に係る携帯電話機に用いるケースの側面図である。
（ハ）本実施形態に係る携帯電話機に用いるケースの側面図である。
【図１３】（イ）本実施形態に係る携帯電話機に用いる押釦キーの断面図である。
（ロ）本実施形態に係る携帯電話機に用いる押釦キーの側面図である。
（ハ）本実施形態に係る携帯電話機に用いる押釦キーの側面図である。
（ニ）本実施形態に係る携帯電話機に用いる押釦キーの平面図である。
【図１４】本実施形態に係る携帯電話機の押釦キー非押し込み時（表示側筐体開き角度０度）の状態を示す説明図である。
【図１５】本実施形態に係る携帯電話機の押釦キー押し込み時（表示側筐体開き角度０度＝オープン時）の状態を示す説明図である。
【図１６】本実施形態に係る携帯電話機の押釦キー押し込み時（表示側筐体開き角度０度＝オープン時）の状態を示す説明図である。
【図１７】本実施形態に係る携帯電話機の押釦キー押し込み時（表示側筐体開き角度９０度＝オープン時）の状態を示す説明図である。
【図１８】本実施形態に係る携帯電話機の押釦キー押し込み時（表示側筐体開き角度１４０度＝オープン時）の状態を示す説明図である。
【図１９】本実施形態に係る携帯電話機の押釦キー非押し込み時（表示側筐体開き角度１６０度）の状態を示す説明図である。
【図２０】本実施形態に係る携帯電話機の押釦キー非押し込み時（表示側筐体開き角度１１０度＝フリーストップ角度）の状態を示す説明図である。
【図２１】本発明の別の実施形態におけるカムシャフトのシャフトを示す断面図である。
【図２２】（イ）本発明の別の実施形態におけるカムシャフトのカム部とフランジ部とを一体にした部品を示す断面図である。
（ロ）本発明の別の実施形態におけるカムシャフトのカム部とフランジ部とを一体にした部品を示す側面図である。
（ハ）本発明の別の実施形態におけるカムシャフトのカム部とフランジ部とを一体にした部品を示す側面図である。
【符号の説明】
１　携帯電話機
３　表示側筐体
５　操作側筐体
１０　ヒンジ
２０　カムシャフト
２１　シャフト
２２　カム部
２３　フランジ部
２４　挿入孔
２５　押釦キー係止用溝
２６　ワッシャ嵌合軸
２７，２８　Ｅリング溝
２９　溝
３０　対向カム
３１　底部
３２　孔部
３３　開口部
３４　筒部
３５　溝部
３６　カム
３６ａ　登り傾斜面
３６ｂ　下り傾斜面
３６ｃ　水平面
３６ｄ　下り傾斜面
３６ｅ　登り傾斜面
３６ｆ　ロック部
４０　擢動カム
４１　底板
４２　軸孔部
４３　カム部
４３ａ　突起
４４　回転規制部
５０　ケース
５１　底板
５２　孔部
５３　壁部
５４　溝部
５５　凹溝
６０　第一コンプレッションスプリング
７０　押釦キー
７１　フランジ部
７２　貫通孔
７３　カム係止用爪部
７４　円弧状突片
７５　段差部
８０　第二コンプレッションスプリング
９０　ワツシヤー
１００　Ｅリング
ＯＨＡ　全開状態
ＯＨＢ　フリーストップ
ＯＨＣ　全閉状態
【図１】
2004056320.tif 000003
【図２】
2004056320.tif 000004
【図３】
2004056320.tif 000005
【図４】
2004056320.tif 000006
【図５】
2004056320.tif 000007
【図６】
2004056320.tif 000008
【図７】
2004056320.tif 000009
【図８】
2004056320.tif 000010
【図９】
2004056320.tif 000011
【図１０】
2004056320.tif 000012
【図１１】
2004056320.tif 000013
【図１２】
2004056320.tif 000014
【図１３】
2004056320.tif 000015
【図１４】
2004056320.tif 000016
【図１５】
2004056320.tif 000017
【図１６】
2004056320.tif 000018
【図１７】
2004056320.tif 000019
【図１８】
2004056320.tif 000020
【図１９】
2004056320.tif 000021
【図２０】
2004056320.tif 000022
【図２１】
2004056320.tif 000023
【図２２】
2004056320.tif 000024